(57)【要約】【課題】記録ヘッドの位置調整を行う際に記録ヘッドのノズルからのインクの吐出方向における位置ずれを防止して、仮止め時の位置で記録ヘッドを固定できるようにし、高精彩な画像記録を実現できる記録ヘッド位置調整構造、インクジェット記録装置及び記録ヘッド位置調整方法を提供する。【解決手段】長手方向に沿ってインクを吐出する複数のノズルが列状に形成された記録ヘッド１０をモジュールベース６に固定する位置を調整する記録ヘッド位置調整構造において、ノズルからのインクの吐出方向における記録ヘッド１０の移動を規制する吐出方向位置規制機構であるテーパ状規制部材としての先端基準ピン１２を備える。【選択図】図３
2006188013.tif 000002
【特許請求の範囲】
【請求項１】
長手方向に沿ってインクを吐出する複数のノズルが列状に形成された記録ヘッドを取付けベースに固定する位置を調整する記録ヘッド位置調整構造において、
前記ノズルからのインクの吐出方向における前記記録ヘッドの移動を規制する吐出方向位置規制機構を備えることを特徴とする記録ヘッド位置調整構造。
【請求項２】
前記吐出方向位置規制機構は、前記記録ヘッドの前記ノズルの列方向における一端面に当接するように配置され、前記ノズルの列方向の前記記録ヘッドの位置を調整するものであることを特徴とする請求項１に記載の記録ヘッド位置調整構造。
【請求項３】
前記吐出方向位置規制機構は、前記ノズルからのインクの吐出方向に向かって径が細くなるテーパ状に形成されたテーパ状規制部材を備えたことを特徴とする請求項１又は請求項２に記載の記録ヘッド位置調整構造。
【請求項４】
前記吐出方向位置規制機構は、前記記録ヘッドを一定範囲で伸縮可能なばねを介して前記取付けベースに対して固定する固定部材を備えたことを特徴とする請求項１から請求項３のいずれか一項に記載の記録ヘッド位置調整構造。
【請求項５】
支軸と支軸に対して偏心固定されたカム部材によって構成され前記ノズルの列方向の前記記録ヘッドの角度を調整するノズル列方向調整部材を備え、
前記ノズル列方向調整部材は、前記カム部材の周面一端部が前記記録ヘッドのノズル列方向における側面に当接するように配置され、前記支軸の回転により偏心量を変更可能であり、前記カム部材の少なくとも前記周面の一部に前記支軸の軸線と平行にローレットを形成したことを特徴とする請求項１から請求項４のいずれか一項に記載の記録ヘッド位置調整構造。
【請求項６】
同色のインクを吐出する前記記録ヘッドを前記取付けベースに複数配置したことを特徴とする請求項１から請求項５のいずれか一項に記載の記録ヘッド位置調整構造。
【請求項７】
前記記録ヘッドの交換時に、前記記録ヘッドは、前記モジュールユニットごと交換されることを特徴とする請求項１から請求項６のいずれか一項に記載の記録ヘッド位置調整構造。
【請求項８】
所定の方向に搬送される記録媒体に対してノズルからインクを吐出する記録ヘッドと、
前記記録ヘッドを取付けベースに固定する位置を調整する請求項１から請求項７のいずれか一項に記載の記録ヘッド位置調整構造とを備えたこと特徴とするインクジェット記録装置。
【請求項９】
前記記録ヘッドを前記記録媒体の搬送方向と直交する主走査方向に沿って移動可能なヘッド移動機構を備え、
前記記録ヘッドは、前記ヘッド移動機構によって主走査方向に往復移動しながら記録を行うシリアルプリント方式であることを特徴とする請求項８に記載のインクジェット記録装置。
【請求項１０】
前記記録ヘッドは、前記ノズルが前記記録媒体の搬送方向と直交する方向に延在して列状に形成され、前記記録媒体を搬送方向に搬送しながら前記ノズルからインクを吐出することにより記録を行うラインプリント方式であることを特徴とする請求項８に記載のインクジェット記録装置。
【請求項１１】
前記インクは、２５℃の粘度が、１０〜５０ｍＰａ・ｓで、表面張力が２０〜４０ｍＮ／ｍであることを特徴とする請求項８から請求項１０のいずれか一項に記載のインクジェット記録装置。
【請求項１２】
前記インクは、活性化エネルギー線硬化性化合物を含んでおり、活性化エネルギーが紫外線であることを特徴とする請求項８から請求項１１のいずれか一項に記載のインクジェット記録装置。
【請求項１３】
吐出方向位置規制機構によって前記ノズルからのインクの吐出方向における前記各記録ヘッドの移動を規制することを特徴とする記録ヘッド位置調整方法。
【請求項１４】
前記ノズルからのインクの吐出方向に向かって径が細くなるテーパ状に形成されたテーパ状規制部材によって、前記ノズルからのインクの吐出方向における前記記録ヘッドの位置を規制することを特徴とする請求項１３に記載の記録ヘッド位置調整方法。
【発明の詳細な説明】
【技術分野】
【０００１】
本発明は、記録ヘッド位置調整構造、インクジェット記録装置及び記録ヘッド位置調整方法に関するものである。
【背景技術】
【０００２】
従来、簡易かつ安価に画像を記録できる画像記録手段として、インクジェット方式を用いた画像プリンタが数多く用いられている。インクジェット方式を用いた画像プリンタ（以下、「インクジェット記録装置」と言う。）は、例えばピエゾ素子等の圧電素子やヒータ等を用いて、記録ヘッドのノズルからインクを微小な液滴として紙等の記録媒体に向けて吐出し、記録媒体にインクを浸透若しくは定着させながら記録媒体を所定の方向に移動させることにより順次記録媒体上に画像記録を行うものである。
【０００３】
このようなインクジェット記録装置においては、記録ヘッドの位置が正確に固定されていなければ、インクが適切な位置に着弾せず、位置ずれを起こす等、高精彩な画像記録を行うことができない。そこで、従来から、インクジェット記録装置の記録ヘッド取付け部に記録ヘッドを取り付ける位置を調整する位置調整機構を設けることが行われている（例えば、特許文献１及び特許文献２参照）。
【特許文献１】特開２０００−１９０４６５号公報
【特許文献２】特開２００４−９０４９３号公報
【発明の開示】
【発明が解決しようとする課題】
【０００４】
しかしながら、例えば、記録ヘッド取付け部に取付けた記録ヘッドの位置調整を行う際には、一旦記録ヘッドを固定している部材を緩めて仮止めした状態で位置の微調整を行う必要があるが、この際、記録ヘッドが記録ヘッド取付け部から浮き上がりを生じるおそれがある。この点、特許文献１及び特許文献２に示されているような従来の位置調整機構では、記録ヘッドのノズル列方向の傾き等を調整することは行われているが、ノズルからのインクの吐出方向における位置規制は行われていない。このため、従来の位置調整機構では記録ヘッドの浮き上がりを防止することができない。
【０００５】
そして、記録ヘッドの位置調整が完了した後、このような浮き上がりを生じたまま再度記録ヘッドを固定する部材を締めると、仮止め時に正確に調整を行っても記録ヘッドを固定したときには位置ずれが生じてしまう。記録ヘッドがこのような位置ずれを生じた状態では高精彩な画像記録を行うことができない。このため、記録ヘッドの精密な位置調整を行うために何度も調整作業をやり直す必要が生じ、作業工数が増えるという不都合があった。
【０００６】
特に、近年では、記録スピードを上げることによって生産性を向上させるため、記録ヘッドの多ノズル化が求められている。このため、１色について複数の記録ヘッドを備え、例えばこれらの記録ヘッドを千鳥状に配置することにより１つの長大な記録ヘッドを用いるのと同様の多ノズル化を実現することも提案されている。
【０００７】
しかし、このように記録ヘッドの数が多くなると、それぞれの記録ヘッドの位置ずれをなくすために何度も調整作業をやり直すことは一層作業工数を増やすこととなり、記録ヘッドの精密な調整を行うことがより困難となるという問題があった。
【０００８】
そこで、本発明は上記した点を鑑みてなされたものであり、記録ヘッドの位置調整を行う際に記録ヘッドのノズルからのインクの吐出方向における位置ずれを防止して、仮止め時の位置で記録ヘッドを固定できるようにし、高精彩な画像記録を実現できる記録ヘッド位置調整構造、インクジェット記録装置及び記録ヘッド位置調整方法を提供することを目的とするものである。
【課題を解決するための手段】
【０００９】
前記課題を解決するため、請求項１に記載の発明に係る記録ヘッド位置調整構造は、長手方向に沿ってインクを吐出する複数のノズルが列状に形成された記録ヘッドを取付けベースに固定する位置を調整する記録ヘッド位置調整構造において、
前記ノズルからのインクの吐出方向における前記記録ヘッドの移動を規制する吐出方向位置規制機構を備えることを特徴とする。
【００１０】
請求項１に記載の発明によれば、吐出方向位置規制機構によってノズルからのインクの吐出方向における記録ヘッドの移動を規制して記録ヘッドの浮き上がりを規制するようになっている。
【００１１】
請求項２に記載の発明は、請求項１に記載の記録ヘッド位置調整構造において、前記吐出方向位置規制機構は、前記記録ヘッドの前記ノズルの列方向における一端面に当接するように配置され、前記ノズルの列方向の前記記録ヘッドの位置を調整するものであることを特徴とする。
【００１２】
請求項２に記載の発明によれば、吐出方向位置規制機構によって、インクの吐出方向における記録ヘッドの位置を規制するとともにノズルの列方向の記録ヘッドの位置を調整するようになっている。
【００１３】
請求項３に記載の発明は、請求項１又は請求項２に係る記録ヘッド位置調整構造において、前記吐出方向位置規制機構は、前記ノズルからのインクの吐出方向に向かって径が細くなるテーパ状に形成されたテーパ状規制部材を備えたことを特徴とする。
【００１４】
請求項３に記載の発明によれば、ノズルからのインクの吐出方向に向かって径が細くなるテーパ状規制部材によってノズルからのインクの吐出方向における記録ヘッドの位置を規制するようになっている。
【００１５】
請求項４に記載の発明は、請求項１から請求項３のいずれか一項に記載の記録ヘッド位置調整構造において、前記前記吐出方向位置規制機構は、前記記録ヘッドを一定範囲で伸縮可能なばねを介して前記取付けベースに対して固定する固定部材を備えたことを特徴とする。
【００１６】
請求項４に記載の発明によれば、吐出方向位置規制機構の固定部材は、一定範囲で伸縮可能なばねを介して取付けベースに対して記録ヘッドを固定するようになっている。
【００１７】
請求項５に記載の発明は、請求項１から請求項４のいずれか一項に記載の記録ヘッド位置調整構造において、支軸と支軸に対して偏心固定されたカム部材によって構成され前記ノズル列方向の前記記録ヘッドの角度を調整するノズル列方向調整部材を備え、
前記ノズル列方向調整部材は、前記カム部材の周面一端部が前記記録ヘッドのノズル列方向における側面に当接するように配置され、前記支軸の回転により偏心量を変更可能であり、前記カム部材の少なくとも前記周面の一部に前記支軸の軸線と平行にローレットを形成したことを特徴とする。
【００１８】
請求項５に記載の発明によれば、ノズル列方向調整部材のカム部材の周面の一部に形成されたローレットにより偏心量を把握しながら記録ヘッドのノズル列方向の角度を調整するようになっている。
【００１９】
請求項６に記載の発明は、請求項１から請求項５のいずれか一項に記載の記録ヘッド位置調整構造において、同色のインクを吐出する前記記録ヘッドを前記取付けベースに複数配置したことを特徴とする。
【００２０】
請求項６に記載の発明によれば、取付けベースに同色のインクを吐出する記録ヘッドを複数配置するようになっている。
【００２１】
請求項７に記載の発明は、請求項１から請求項６のいずれか一項に記載の記録ヘッド位置調整構造において、前記記録ヘッドの交換時に、前記記録ヘッドは、前記モジュールユニットごと交換されることを特徴とする。
【００２２】
請求項７に記載の発明によれば、記録ヘッドをモジュールユニットごと交換できるようになっている。
【００２３】
請求項８に記載の発明は、所定の方向に搬送される記録媒体に対してノズルからインクを吐出する記録ヘッドと、
前記記録ヘッドを取付けベースに固定する位置を調整する請求項１から請求項７のいずれか一項に記載の記録ヘッド位置調整構造とを備えたことを特徴とする。
【００２４】
請求項８に記載の発明によれば、請求項１から請求項７のいずれか一項に記載の記録ヘッド位置調整構造によって記録ヘッドを取付けベースに固定する位置を調整するようになっている。
【００２５】
請求項９に記載の発明は、請求項８に記載のインクジェット記録装置において、前記記録ヘッドを前記記録媒体の搬送方向と直交する主走査方向に沿って移動可能なヘッド移動機構を備え、
前記記録ヘッドは、前記ヘッド移動機構によって主走査方向に往復移動しながら記録を行うシリアルプリント方式であることを特徴とする。
【００２６】
請求項９に記載の発明によれば、記録ヘッドをヘッド移動機構によって主走査方向に往復移動しながらシリアルプリント方式で記録を行うようになっている。
【００２７】
請求項１０に記載の発明は、請求項８に記載のインクジェット記録装置において、前記記録ヘッドは、前記ノズルが前記記録媒体の搬送方向と直交する方向に延在して列状に形成され、前記記録媒体を搬送方向に搬送しながら前記ノズルからインクを吐出することにより記録を行うラインプリント方式であることを特徴とする。
【００２８】
請求項１０に記載の発明によれば、記録媒体を搬送方向に搬送しながら、ノズルが記録媒体の搬送方向と直交する方向に延在して列状に形成されたラインプリント方式の記録ヘッドによって記録を行うようになっている。
【００２９】
請求項１１に記載の発明は、請求項８から請求項１０のいずれか一項に記載のインクジェット記録装置において、前記インクは、２５℃の粘度が、１０〜５０ｍＰａ・ｓで、表面張力が２０〜４０ｍＮ／ｍであることを特徴とする。
【００３０】
請求項１１に記載の発明によれば、２５℃の粘度が、１０〜５０ｍＰａ・ｓで、表面張力が２０〜４０ｍＮ／ｍの高粘度で濡れ性の悪いインクを用いて画像記録を行うようになっている。
【００３１】
請求項１２に記載の発明は、請求項８から請求項１１のいずれか一項に記載のインクジェット記録装置において、前記インクは、活性化エネルギー線硬化性化合物を含んでおり、活性化エネルギーが紫外線であることを特徴とする。
【００３２】
請求項１２に記載の発明によれば、活性化エネルギー線硬化性化合物を含んでおり、活性化エネルギーが紫外線であるインクを用いて画像記録を行うようになっている。
【００３３】
請求項１３に記載の発明は、吐出方向位置規制機構によって前記ノズルからのインクの吐出方向における前記各記録ヘッドの移動を規制することを特徴とする。
【００３４】
請求項１３に記載の発明によれば、吐出方向位置規制機構によってノズルからのインクの吐出方向における記録ヘッドの移動を規制するようになっている。
【００３５】
請求項１４に記載の発明は、請求項１３に係る記録ヘッド位置調整方法において、前記ノズルからのインクの吐出方向に向かって径が細くなるテーパ状に形成されたテーパ状規制部材によって、前記ノズルからのインクの吐出方向における前記記録ヘッドの位置を規制することを特徴とする。
【００３６】
請求項１４に記載の発明によれば、ノズルからのインクの吐出方向に向かって径が細くなるテーパ状規制部材によってノズルからのインクの吐出方向における記録ヘッドの位置を規制するようになっている。
【発明の効果】
【００３７】
記録ヘッドの位置がずれていると画像記録を行ったときに画質に大きな影響を及ぼすが、請求項１に記載の発明によれば、記録ヘッドの位置調整を行う際に記録ヘッドを固定する部材を緩めた場合でも記録ヘッドのノズルからのインクの吐出方向における位置ずれを防止して、仮止め時の位置で記録ヘッドを固定できるようにする。このため、正確に記録ヘッドの位置調整を行うことができ、高精彩な画像記録を行うことができるとの効果を奏する。
【００３８】
請求項２に記載の発明によれば、吐出方向位置規制機構が記録ヘッドのノズルの列方向における一端面に当接するように配置されているので、記録ヘッドの位置調整時に記録ヘッドを固定する部材を緩めた場合でも吐出方向位置規制機構によって記録ヘッドの浮き上がりを防止し、同時に記録ヘッドのノズル方向の位置調整をも行うことができる。このため、記録ヘッドの浮き上がりを防止するための部材と記録ヘッドのノズル方向の位置調整を行う部材とを別個に設ける必要がなく、部品点数を減少させることができるとともに、調整の工数を減らして容易かつ確実に記録ヘッドの位置調整を行うことができるとの効果を奏する。
【００３９】
請求項３に記載の発明によれば、インクの吐出方向に向かって径が細くなるテーパ状規制部材を用いて記録ヘッドの位置調整を行うので、テーパ状規制部材によって記録ヘッドをインクの吐出方向に向かって押えることにより記録ヘッドが浮き上がることを防止することができる。これにより、記録ヘッドの位置調整時に記録ヘッドを固定する部材を緩めた場合でも記録ヘッドのインクの吐出方向における位置ずれを防止して高精彩な画像記録を行うことができるとの効果を奏する。
【００４０】
請求項４に記載の発明によれば、記録ヘッドを一定範囲で伸縮可能なばねを介して取付けベースに固定するので、記録ヘッドの位置調整時等に記録ヘッドを取付けベースに固定するねじを緩めて仮止めの状態にした場合にも記録ヘッドがばねによって押えられるため大きく動くことがない。このため、記録ヘッドの位置調整時に誤って記録ヘッドの位置がずれることを防止し、仮止めした適切な位置で確実に記録ヘッドを固定することができるとの効果を奏する。
【００４１】
請求項５に記載の発明によれば、カム部材の偏心量を変更することにより記録ヘッドのノズル方向の角度調整を行うため、角度の微調整を容易に行うことができる。また、カム部材の周面に形成されたローレットにより、カム部材の偏心量を正確に把握することができ、記録ヘッドのノズル方向の角度を正確に調整して高精彩な画像記録を行うことができるとの効果を奏する。
【００４２】
請求項６に記載の発明によれば、同色のインクを吐出する複数の記録ヘッドを一つのモジュールユニットを搭載させることにより、同色のインクを吐出する記録ヘッドの数が増加した場合においても、個々の記録ヘッドの位置を調整する調整工程を簡略化できる。このため、記録ヘッドの着脱作業及び着脱に伴う調整作業を容易にし、作業時間を短縮させて使い勝手の向上を図りつつ、記録ヘッドの位置を正確に調整することにより高精細な画像を得ることができるとの効果を奏する。
【００４３】
請求項７に記載の発明によれば、記録ヘッドごとに記録ヘッドを交換する場合に比べて、記録ヘッドを１つ１つ取り外し及び取り付ける必要がなく作業工程数を減らすことができる。このため、記録ヘッド交換時の作業を容易にし、作業に要する時間を大幅に短縮させることができるとの効果を奏する。
【００４４】
記録ヘッドの位置がずれていると画像記録を行ったときに画質に大きな影響を及ぼすが、請求項８に記載の発明によれば、記録ヘッドの位置調整を行う際に記録ヘッドを固定する部材を緩めた場合でも記録ヘッドのノズルからのインクの吐出方向における位置ずれを防止して、仮止め時の位置で記録ヘッドを固定できるようにする。このため、正確に記録ヘッドの位置調整を行うことができ、高精彩な画像記録を行うことができるとの効果を奏する。
【００４５】
請求項９に記載の発明によれば、記録ヘッドをキャリッジに搭載して往復走査させながら画像記録を行うシリアルプリン方式の場合でも、記録ヘッドの位置を容易かつ正確に調整して高精彩な画像記録を行うことができるとの効果を奏する。
【００４６】
請求項１０に記載の発明によれば、長尺な記録ヘッドを用いるラインプリン方式で画像記録を行うインクジェット記録装置の場合でも、記録ヘッドの位置を容易かつ正確に調整して高精彩な画像記録を行うことができるとの効果を奏する。
【００４７】
請求項１１に記載の発明によれば、粘性が高く、濡れ性が悪いインクであるので、インクを記録媒体に着弾させた後に不用意にインク滴が広がったり、滲ませたりすることがない。したがって、あらゆる記録媒体においても高精細な画像を得ることができるとの効果を奏する。
【００４８】
請求項１２に記載の発明によれば、紫外線を照射することで、インクを効率よく硬化させることができるので、記録媒体を問わず、樹脂フィルム等のインク吸収性の乏しい記録媒体においても請求項８から請求項１１に記載の手段と併せることにより高精細な画像を得ることができるとの効果を奏する。
【００４９】
記録ヘッドの位置がずれていると画像記録を行ったときに画質に大きな影響を及ぼすが、請求項１３に記載の発明によれば、記録ヘッドの位置調整を行う際に記録ヘッドを固定する部材を緩めた場合でも記録ヘッドのノズルからのインクの吐出方向における位置ずれを防止して、仮止め時の位置で記録ヘッドを固定できるようにする。このため、正確に記録ヘッドの位置調整を行うことができ、高精彩な画像記録を行うことができるとの効果を奏する。
【００５０】
請求項１４に記載の発明によれば、インクの吐出方向に向かって径が細くなるテーパ状規制部材を用いて記録ヘッドの位置調整を行うので、テーパ状規制部材によって記録ヘッドをインクの吐出方向に向かって押えることにより記録ヘッドが浮き上がることを防止することができる。これにより、記録ヘッドの位置調整時に記録ヘッドを固定する部材を緩めた場合でも記録ヘッドのインクの吐出方向における位置ずれを防止して高精彩な画像記録を行うことができるとの効果を奏する。
【発明を実施するための最良の形態】
【００５１】
以下、図１から図７を参照しつつ、本発明に係る記録ヘッド位置調整構造及びこれを備えるインクジェット記録装置の一実施形態について説明する。
【００５２】
まず、図１に示すように、本実施形態において、インクジェットプリンタは、シリアルヘッド方式のインクジェットプリンタであり、プリンタ本体１と、プリンタ本体１を下方から支持する支持台２とを備えている。プリンタ本体１には、記録媒体Ｐを非記録面から支持するプラテン２２がプリンタ本体１の長手方向に延在するように配設されている。プラテン２２の設けられている領域は、画像記録を行う記録領域とされ、記録媒体Ｐは図示しない搬送機構によりプラテン２２の上を所定の搬送方向である副走査方向Ｂに搬送されるようになっている。
【００５３】
プラテン２２の上方であって記録媒体Ｐの副走査方向Ｂの上流にはプリンタ本体１の長手方向に延在する棒状のガイドレール３が設けられている。このガイドレール３には、キャリッジ４が支持されており、キャリッジ４は図示しない駆動機構により副走査方向Ｂと直交する主走査方向Ａをガイドレール３に沿って往復移動するようになっている。
【００５４】
また、キャリッジ４には、図２及び図３に示すような複数のモジュールユニット５が主走査方向Ａに沿ってイエロー（Ｙ）、マゼンタ（Ｍ）、シアン（Ｃ）、ブラック（Ｋ）の各色ごとに順に搭載されており、モジュールユニット５の長手方向が主走査方向Ａと直交する副走査方向Ｂに沿うように配置されている（図４及び図５参照）。なお、インクジェット記録装置で使用されるインクは例示したものに限定されず、例えば、ライトイエロー（ＬＹ）、ライトマゼンタ（ＬＭ）、ライトシアン（ＬＣ）、その他白インクや透明インク等の各色のインクを使用することもできる。この場合には、各色に対応した記録ヘッドを搭載したモジュールユニットが設けられる。
【００５５】
モジュールユニット５には、取付けベースとしての薄板状のモジュールベース６が備えられている。モジュールベース６の副走査方向Ｂの一側面には凸部７（図２参照）が、副走査方向Ｂの他側面であって凸部７に対向する位置には凹部８（図３参照）が形成されている。また、モジュールベース６の主走査方向Ａと平行な側面のうち副走査方向Ｂの上流側端縁には、Ｖ字状の凹部９が形成されており、凹部９と反対側端縁における副走査方向Ｂの角には、凹部２７が形成されている。凹部２７を形成している主走査方向Ａと平行な側面の一部はモジュールベース６の長手に対して４５度の角度となるように形成されている。
【００５６】
各モジュールベース６には、同色のインクを吐出する複数の記録ヘッド１０が副走査方向Ｂに沿って千鳥状に配設されている。記録ヘッド１０の記録媒体Ｐに対向する面には、インクを吐出する複数のノズル（図示せず）が副走査方向Ｂに沿って形成されている。なお、本実施形態において、一つのモジュールベース６には、３つの記録ヘッド１０が搭載されている。なお、一つのモジュールベース６に搭載される記録ヘッド１０の数はこれに限定されず、さらに多くの記録ヘッドが搭載されるようにしてもよいし、１つの記録ヘッドのみが搭載されるようにしてもよい。
【００５７】
また、図３に示すように、記録ヘッド１０の副走査方向Ｂに平行な一側面であって副走査方向Ｂ上流側には、Ｖ字状凹部２８を有する位置決め部１１が形成されている。
【００５８】
モジュールベース６上であって、Ｖ字状凹部２８と対向する位置には、吐出方向位置規制機構を構成するテーパ状規制部材としての先端基準ピン１２が立設されており、先端基準ピン１２とＶ字状凹部２８が係合するようになっている。
【００５９】
図３及び図６（ａ）に示すように、先端基準ピン１２は、ノズルからのインク吐出方向である図３及び図６（ａ）における下方に向かって径が細くなるようなテーパ状に形成されており、モジュールベース６の上面に対して上下に移動可能に構成されている。先端基準ピン１２のテーパ状が形成されている部分を記録ヘッド１０の位置決め部１１に係合させた状態で、先端基準ピン１２を下降させると、先端基準ピン１２の周面によって記録ヘッド１０が副走査方向Ｂに押し出され、記録ヘッド１０を副走査方向Ｂに僅かに移動させることができる。また、先端基準ピン１２を上昇させると、副走査方向Ｂと反対方向に記録ヘッド１０を僅かに移動させることができるようになっている。このように、先端基準ピン１２のモジュールベース６に対する上下位置を調整することにより、副走査方向Ｂにおける記録ヘッド１０の位置を決めて、副走査方向Ｂにおける記録ヘッド１０の位置を微調整することができるようになっている。
【００６０】
また、先端基準ピン１２の周面が上方に行くに従って位置決め部１１の側にせり出していることにより、位置決め部１１を上方から押え、記録ヘッド１０のインク吐出方向である上下方向の移動を規制して、記録ヘッド１０がモジュールベース６から浮き上がることを防止するようになっている。
【００６１】
また、位置決め部１１には、モジュールベース６に貫通する図示しない孔が設けられており、この孔に対応して位置決め部１１をモジュールベース６に固定する固定部材４０が設けられている。
【００６２】
図６（ｂ）に示すように、固定部材４０は、上端部にねじ山４３の形成されたねじ軸部４２とねじ軸部４２に巻装された圧縮ばね４１とを備えており、ねじ軸部４２を位置決め部１１の孔に挿入することにより位置決め部１１をモジュールベース６に固定するようになっている。圧縮ばね４１は巻き直径がねじ軸部４２の直径よりも大きくねじ山４３の直径よりも小さくなっており、圧縮ばね４１とねじ軸部４２との間には遊びが設けられている。圧縮ばね４１は、位置決め部１１の上面とねじ山４３との間で伸縮可能となっており、ねじ軸部４２を回転させて固定部材４０を緩めた際にも圧縮ばね４１によって位置決め部１１をモジュールベース６に対して押圧するようになっている。
【００６３】
また、記録ヘッド１０の副走査方向Ｂに平行な側面のうち、位置決め部１１が形成されている側と反対の側面であって副走査方向Ｂ下流側には、平板状のヘッド固定部１４が形成されている。ヘッド固定部１４のうち、副走査方向Ｂ下流側の端面は、記録ヘッド１０の側面に対してほぼ４５度の角度をなすように形成されている。モジュールベース６上には、記録ヘッド１０をモジュールベース６に取り付けたときにヘッド固定部１４の副走査方向Ｂの下流側の端面と対向する位置に、ヘッド固定部１４の副走査方向Ｂ下流側の端面と対応するように形成された押し付け固定部材１５が備えられている。押し付け固定部材１５は、図示しない圧縮ばねにより副走査方向Ｂと反対の方向に付勢されており、押し付け固定部材１５は、ヘッド固定部１４を一定方向に押し付けながら固定するようになっている。押し付け固定部材１５は、先端基準ピン１２及び偏心ピン１３により位置の微調整が行われた状態の記録ヘッド１０をヘッド固定部１４を押し付けることにより、記録ヘッド１０に対して均一な方向に力を分散させながら押し付けることができ、記録ヘッド１０をモジュールベース６に位置決め固定させることができるようになっている。
【００６４】
また、各記録ヘッド１０は、各ノズル列の配列方向や記録ヘッド１０毎のノズルピッチなどについて位置調整なされた状態で、モジュールベースに６に固定されるようになっており、これにより、複数の記録ヘッド１０が搭載されたモジュールベース６を１つの記録ヘッドとして機能させることができるようになっている。
【００６５】
さらに、ヘッド固定部１４には、モジュールベース６に貫通する図示しない孔が設けられており、この孔に対応してヘッド固定部１４をモジュールベース６に固定する固定部材４０が設けられている。
【００６６】
本実施形態において、前記位置決め部１１及びヘッド固定部１４に設けられた固定部材４０は、テーパ状規制部材としての先端基準ピン１２とともに、記録ヘッド１０のインク吐出方向である上下方向の移動を規制する吐出方向位置規制機構を構成しており、固定部材４０と先端基準ピン１２とにより、記録ヘッド１０の位置調整時に固定部材４０を緩めた仮止め状態の場合にも記録ヘッド１０がモジュールベース６から浮き上がることを防止するようになっている。なお、固定部材４０はここに例示した位置に設けられるものに限定されず、記録ヘッド１０をモジュールベース６に固定するためにさらに多くの固定部材を設けるようにしてもよい。この場合には、全ての固定部材をねじ軸部４２と圧縮ばね４１とを備える構成とする。
【００６７】
また、モジュールベース６上であって、記録ヘッド１０の副走査方向Ｂに平行な一側面のうち、副走査方向Ｂの下流側には、記録ヘッド１０のノズル列方向の位置を調整するノズル列方向調整部材としての偏心ピン１３が設けられている。
【００６８】
図６（ｃ）に示すように、偏心ピン１３は、カム部材１３１に図示しない支軸である中心軸が偏心固定されているピンであり、モジュールベース６の上面に対して回転可能に取り付けられている。偏心ピン１３のカム部材１３１を記録ヘッド１０の側面に接触させた状態で偏心ピンを回転させることにより、その偏心量に応じて、記録ヘッド１０を主走査方向Ａに僅かに移動させることができるようになっている。このように、偏心ピン１３の軸と記録ヘッド１０との距離を調整することにより、主走査方向Ａにおける記録ヘッド１０の位置を微調整することができるようになっている。
【００６９】
なお、図６（ｃ）に示すように、偏心ピン１３のカム部材１３１の周面には溝状のローレット１３２が中心軸の軸線と平行に複数形成されている。
【００７０】
一般にローレットには、ローレットが形成される部材の中心軸の軸線と平行に形成される縦目のローレットや、中心軸の軸線に対して斜めに形成されたローレット等、種々の種類があるが、本実施形態においては、カム部材１３１の周面に中心軸の軸線と平行に縦目のローレット１３２が形成される。ローレット１３２は、偏心ピン１３の偏心量に合せて形成されており、例えば、偏心ピン１３をローレット１３２の溝１つ分回転させることにより記録ヘッド１０の主走査方向Ａにおける位置を２０μｍ移動させることができるようになっている。なお、ローレット１３２の溝１つ分の偏心量はここに例示したものに限定されず、偏心ピン１３をローレット１３２の溝１つ分回転させたときに記録ヘッド１０をどの程度移動させるかによって偏心量が規定され、これに応じたローレット１３２が形成される。このローレット１３２には、ローレット１３２に噛み合うように凸部の形成された板バネ１３３が当接している。板バネ１３３がカム部材１３１を押えることにより偏心ピン１３の偏心量を保持させることができるとともに、偏心ピン１３を回転させた際に板バネ１３３の凸部がローレット１３２の溝と噛合いながら順次移動することにより、調整作業を行うユーザにクリック感を与え、偏心ピン１３の偏心量が把握できるようになっている。
【００７１】
そして、モジュールベース６と、このモジュールベース６に搭載された記録ヘッド１０と、記録ヘッド１０の位置の微調整を行うための位置決め部１１と先端基準ピン１２と偏心ピン１３とヘッド固定部１４と押し付け固定部材１５とによりモジュールユニット５が形成されている。
【００７２】
図５に示すように、キャリッジ４の副走査方向Ｂの上流側には、モジュールベース６の側面に設けられた先端基準ピン１２と同様の４つの先端基準ピン１６，１６，１６，１６が立設されており、モジュールベース６に形成された凹部９と係合して、モジュールベース６に搭載された位置決め部１１及びＶ字状凹部２８と同様の機構によりモジュールユニット５の副走査方向Ｂにおける位置の微調整を行うようになっている。
【００７３】
また、キャリッジ４の副走査方向Ｂの下流側には、モジュールユニット５の凹部２７を形成している副走査方向Ｂと平行な側面の一部に係合する４つの偏心ピン１７，１７，１７，１７が設けられている。偏心ピン１７は、モジュールベース６に設けられた偏心ピン１３と同様であり、モジュールユニット５をキャリッジ４に搭載させた際に、モジュールベース６の凹部２７に係合させて先端基準ピン１６によりモジュールユニット５の副走査方向Ｂにおける位置決めをした状態で、モジュールユニット５の副走査方向Ｂの下流側一端の位置を主走査方向Ａに移動させて、主走査方向Ａにおけるモジュールユニット５の位置の微調整を行うようになっている。なお、偏心ピン１３と同様、偏心ピン１７の側面に形成されたローレット（図示せず）にローレットに噛み合うように凸部の形成された板バネ（図示せず）をはめ込ませて、押さえることにより偏心ピン１７の偏心量を保持させることができるとともに、偏心ピン１７を回転させた際に板バネの凸部がローレットの溝と噛合いながら順次移動することにより、調整作業を行うユーザにクリック感を与え、偏心ピン１７の偏心量が把握できるようになっている。
【００７４】
また、キャリッジ４の副走査方向Ｂの下流側であって、モジュールユニット５の凹部２７を形成している主走査方向Ａと平行な側面のうち、モジュールユニット５の長手に対して４５度の角度となるように形成された部分と対向する位置には、この側面と対応するように形成された押し付け固定部材１８が備えられており、押し付け固定部材１８は、モジュールユニット５を押し付けながら固定するようになっている。押し付け固定部材１８は、モジュールベース６に設けられた押し付け固定部材１５と同様であり、先端基準ピン１６及び偏心ピン１７により位置調整がなされた状態のモジュールユニット５を押し付けることによりモジュールユニット５に対して均一な方向に力を分散させるように押し付けながら、キャリッジ４に位置決め固定させることができるようになっている。
【００７５】
さらに、モジュールユニット５は複数の固定ねじ１９，１９，１９…により、キャリッジ４に固定されるようになっている。
【００７６】
また、キャリッジ４の主走査方向Ａにおける両側部には、ノズルから記録媒体Ｐに吐出されたインクに対して紫外線を照射してインクを硬化させる紫外線照射装置２０が設けられている。紫外線照射装置２０の内部には副走査方向Ｂに沿って図示しない紫外線光源とこの紫外線照射装置から照射される紫外線を反射させるための図示しない反射部材が備えられている。なお、本実施形態における紫外線光源は、高圧水銀ランプであるが、紫外線を照射するものであればよく、インクジェット記録装置の構成に応じて、低圧水銀ランプ、メタルハライドランプ、熱陰極管、冷陰極管、ＬＥＤのうちいずれを使用してもよい。
【００７７】
また、紫外線照射装置２０とモジュールユニット５の間には、紫外線照射装置２０から照射された紫外線が記録媒体などに反射して記録ヘッド１０付近に入射することを防止する光トラップ２１が備えられている。光トラップ２１は、副走査方向Ｂに沿って延在し、かつ、記録媒体に向かって開口する箱型に形成されており、その内面は、紫外線照射装置２０から照射された紫外線が記録媒体等で反射した反射光を受ける光トラップ２１の紫外線受光面となっている。
【００７８】
また、キャリッジ４の移動可能な範囲であって記録領域の外側一端には、図示しないインク供給路を介して、キャリッジ４に各色のインクを供給するインクタンク２３が設けられている。
【００７９】
ここで、本実施形態に用いられるインクについて説明する。インクを硬化させる際、インクに含まれる重合性化合物を重合反応させるが、本実施形態において画像記録に用いられるインクは、重合性化合物として活性化エネルギー線硬化性化合物を含んでおり、重合反応を開始させる活性化エネルギーとして紫外線を使用した紫外線硬化性インクである。
【００８０】
紫外線硬化性インクには、重合性化合物として、ラジカル重合性化合物を含むラジカル硬化性インクとカチオン重合性化合物を含むカチオン硬化性インクとに大別されるが、どちらのインクも本実施の形態に用いられるインクとして適用可能であり、ラジカル硬化性インクとカチオン硬化性インクとを複合させたハイブリッド型インクを本実施の形態に用いられるインクとして適用してもよい。
【００８１】
しかしながら、酸素による重合反応の阻害が少ない又は無いカチオン硬化性インクのほうが機能性・汎用性に優れるため、本実施の形態では、特に、カチオン硬化性インクを用いている。本実施の形態に用いられるカチオン硬化性インクは、具体的に、少なくともオキセタン化合物，エポキシ化合物，ビニルエーテル化合物などのカチオン重合性化合物と、光カチオン開始剤と、色材とを含む混合物であり、上記の紫外線の被照射により硬化する性質を具備するものである。
【００８２】
また、本実施形態におけるインクは、２５℃での粘度が、１０〜５０［ｍＰａ・ｓ］で、表面張力が２０〜４０［ｍＮ／ｍ］の液体であり、いわゆる粘性が高く、濡れ性が悪いインクとされている。
【００８３】
なお、高精細な画像記録を可能とするためには、インクの粘度を下げて１ドットが２〜２０ｐｌの微小な液滴として吐出されるようにすることが望ましく、例えば、前記インク流路にヒータ（図示せず）を配設して、インクが吐出される前にインクを加熱し粘度を下げるようにすることが好ましい。
【００８４】
また、本実施の形態に用いられる記録媒体Ｐとしては、通常のインクジェット記録装置に適用される普通紙、再生紙、光沢紙などの各種紙、各種布地、各種不織布、樹脂、金属、ガラスなどの材質からなるものが適用可能である。また、記録媒体Ｐの形態としては、ロール状、カットシート状、板状などが適用可能である。
【００８５】
次に、本実施形態における記録ヘッド位置調整方法及びインクジェット記録装置の作用について説明する。
【００８６】
本実施形態において、インクジェット記録装置は、その使用前に、記録ヘッドが搭載されていない状態のキャリッジ４に、モジュールユニット５の取り付けを行うようになっている。
【００８７】
最初に、モジュールベース６に搭載された同色インクを吐出する複数の記録ヘッド１０の位置決め部１１に設けられた固定部材４０のねじ軸部４２を緩める。この際、位置決め部１１は圧縮ばね４１によって上方から押圧されて、記録ヘッド１０が大きく移動しないように規制され仮止め状態となる。先端基準ピン１２によって記録ヘッド１０がモジュールベース６から浮き上がることを防止しつつ、先端基準ピン１２を回転させることにより記録ヘッド１０の副走査方向Ｂにおける位置の微調整を行う。その後、記録ヘッド１０を移動させたい量に相当する偏心量だけローレット１３２の溝が移動するように偏心ピン１３を回転させ、これにより主走査方向Ａにおける記録ヘッド１０の位置の微調整を行う。この状態でヘッド固定部１４を押し付け固定部材１５が押し付けて固定し、記録ヘッド１０が適切な位置に調整される。さらに、固定部材４０のねじ軸部４２を締めることにより、仮止め状態で調整された適切な位置に記録ヘッド１０が固定される。これにより、モジュールユニット５の組み立てが完了する。
【００８８】
このように位置調整がなされた各色のモジュールユニット５を、図７に示すようにキャリッジ４に搭載し、凹部９及び先端基準ピン１６により副走査方向Ｂにおけるモジュールユニット５の位置の微調整を行う。その後、モジュールユニット５の副走査方向Ｂにおけるモジュールユニット５の位置を定めた状態で、偏心ピン１７により主走査方向Ａにおけるモジュールユニット５の位置の微調整を行い、モジュールユニット５を押し付け固定部材１８が押し付けて固定する。同様に、キャリッジ４に全てのモジュールユニット５を取り付ける（図５参照）。
【００８９】
インクジェット記録装置に所定の画像情報が送られ、この画像情報に応じて記録媒体Ｐが記録領域におけるキャリッジ４の所定の位置まで搬送されると、キャリッジ４はガイドレール３に沿って記録領域に移動し、記録媒体の直上を往復移動し始める。
【００９０】
そして、キャリッジ４の移動中に、画像情報に基づいて記録ヘッド１０を動作させ、各ノズルから記録媒体に向けてインクを吐出させるとともに、紫外線照射装置２０から記録媒体Ｐに向かって紫外線を照射させてインクを硬化させる。このとき、キャリッジ４の移動方向の記録ヘッド１０よりも下流側にある紫外線照射装置２０から照射される紫外線により、記録ヘッド１０から吐出されたインクは速やかに硬化され、記録媒体上に定着される。
【００９１】
その後、インクジェット記録装置が前記各動作を繰り返すことにより、記録媒体上に画像が形成される。
【００９２】
以上のように、本実施形態におけるインクジェット記録装置では、先端基準ピン１２が下方に行くに従って径が小さくなるテーパ状に形成されているので、先端基準ピン１２の周面が上方に行くに従って位置決め部１１の側にせり出しており、位置決め部１１を上方から押えるようになっている。これにより、記録ヘッド１０の位置調整を行う際に固定部材４０を一旦緩めた場合にも記録ヘッド１０がモジュールベース６から浮き上がって位置ずれを生じることがない。このため、仮止め状態で調整された適切な位置に記録ヘッド１０を固定することができるようになっている。
【００９３】
また、偏心ピン１３にローレット１３２が形成されているので、ユーザが、ローレット１３２の溝にはめ込まれる板ばねのクリック感によって容易に偏心ピン１３の偏心量を把握することができるようになっている。
【００９４】
また、同色のインクを吐出する複数の記録ヘッド１０をモジュールユニット５ごとにキャリッジ４に搭載させて、同色のインクを吐出する複数の記録ヘッド１０をキャリッジ４に一度に搭載させることができるので、キャリッジ４上に搭載される同色のインクを吐出する記録ヘッド１０の数が増加した場合においても、キャリッジ４に搭載する調整部材や出荷時や故障時におけるキャリッジ４上での調整工程を省くことができる。
【００９５】
また、予めモジュールユニット５単位で同色インクを吐出する複数の記録ヘッド１０の位置を調整しておき、この調整がなされたモジュールユニット５をキャリッジ４に取り付けるので、出荷時や交換時等、キャリッジ４に記録ヘッド１０を取り付ける際に、キャリッジ４上の狭い空間において、記録ヘッド１０の位置調整を行う調整工程を省くことができる。
【００９６】
また、記録ヘッド１０はモジュールユニット５に千鳥状に配置されることにより、複数の記録ヘッド１０を記録ヘッド１０の２個分の幅でモジュールユニット５に配置させることできるので、モジュールユニット５の幅を増やさず複数の記録ヘッド１０を搭載させることができ、このモジュールユニット５をキャリッジ４に搭載させることにより、キャリッジ４の幅を増やさずに複数の記録ヘッド１０を搭載させて、キャリッジ４上における記録ヘッド１０の省スペース化を図ることができる。
【００９７】
なお、本実施形態においては、モジュールユニット５を組み立てて、モジュールユニット５内における記録ヘッド１０の位置の調整を行ってからキャリッジ４に取り付けるようにしたが、市販品としてすでにモジュールユニット５内での記録ヘッド１０の位置の調整がなされたモジュールユニット５をキャリッジ４に取り付けてもよい。この場合、さらに記録ヘッド１０をキャリッジ４に取り付ける作業時間を短縮させることができる。
【００９８】
また、本実施形態においては、記録ヘッド１０を取付けベースとしてのモジュールベース６上に配置し、記録ヘッド１０の位置の調整をモジュールユニット５内において行うものとしたが、キャリッジの底面部を取付けベースとし、記録ヘッド位置調整構造をキャリッジの底面部に設けて記録ヘッドを直接キャリッジに固定しその位置調整を行うようにしてもよい。このようにすることにより、部品点数を減らすことができ、装置コストを低減させることができる。
【００９９】
また、本実施形態においては、記録ヘッド１０のインク吐出方向における位置規制を行う吐出方向位置規制機構として、下方に行くにしたがって径が小さくなるテーパ状規制部材である先端基準ピン１２を設けたが、吐出方向位置規制機構の形状は、記録ヘッドの浮き上がりを防止できるような形状のものであればここに例示したものに限定されない。例えば、位置決め部１１に対して突き当たる部分が上方に行くにしたがって位置決め部１１に向かってせり出すように傾斜した傾斜面を有する部材を記録ヘッドのノズル列方向に沿って移動可能に設けてもよい。この場合には、前記傾斜面を位置決め部１１に対して突き当てることによって位置決め部１１を上方から押圧し記録ヘッド１０が浮き上がるのを防止することができる。
【０１００】
また、本実施形態においては、位置決め部１１とモジュールベース６とを固定する固定部材４０を、ねじ山４３の形成されたねじ軸部４２と圧縮ばね４１とによって構成されるものとしたが、固定部材４０の構成はここに例示したものに限定されない。例えば、スペーサに圧縮ばねを巻装し、このスペーサにねじ軸部を挿入する構成としてもよい。この場合、圧縮ばねはスペーサの範囲内で伸縮可能であり、ねじ軸部を回転させて固定部材４０を緩めた際にも圧縮ばねによって位置決め部１１がモジュールベース６に対して押圧される。
【０１０１】
また、本実施形態においては、吐出方向位置規制機構は、テーパ状規制部材としての先端基準ピン１２と固定部材４０とによって構成されるものとしたが、吐出方向位置規制機構は、テーパ状規制部材のみによって構成するものとしてもよい。この場合には、位置決め部１１又はヘッド固定部１４をモジュールベース６に固定するために、圧縮ばね４１を備えない一般的なねじを用いるようにしてもよい。
【０１０２】
また、本実施形態においては、記録ヘッド１０の副走査方向Ｂに平行な一側面であって副走査方向Ｂの上流側に位置決め部１１を形成し、記録ヘッド１０の副走査方向Ｂに平行な側面のうち位置決め部１１が形成されている側と反対の側面であって副走査方向Ｂの下流側にヘッド固定部１４を形成するものとしたが、位置決め部１１及びヘッド固定部１４を設ける位置はこれに限定されない。例えば、本実施形態とは逆に、記録ヘッド１０の副走査方向Ｂに平行な一側面であって副走査方向Ｂの下流側に位置決め部１１を形成し、記録ヘッド１０の副走査方向Ｂに平行な側面のうち位置決め部１１が形成されている側と反対の側面であって副走査方向Ｂの上流側に平板状のヘッド固定部１４を形成してもよい。。
【０１０３】
また、本実施形態においては、記録ヘッド位置調整構造をシリアルプリント方式の記録ヘッド１０を用いたインクジェット記録装置に適用したが、図８に示すように、記録ヘッド位置調整構造は、記録媒体の搬送方向Ｘに直交する方向に図示しないノズル列が形成されたラインプリント方式の記録ヘッド５０に適用することも可能である。この場合、例えば、同色のインクを吐出する記録ヘッド５０が取り付けベース５１の上に千鳥状に複数配置される。
【０１０４】
そして、図８に示すように、記録ヘッド５０を取り付ける取付けベース５１上であって、記録ヘッド５０のノズル列方向の一端側に、記録ヘッド５０の位置決め部５２に当接するように吐出方向位置規制機構であるテーパ状規制部材としての先端基準ピン５３を設けるようにする。また、ねじ軸部と圧縮ばね（いずれも図示せず）とを備える固定部材４０が位置決め部５２の上等に複数設けられ、記録ヘッド５０を取付けベース５１に固定するようにする。前記複数の固定部材４０とテーパ状規制部材としての先端基準ピン５３とによって記録ヘッド１０のインク吐出方向である上下方向の移動を規制する吐出方向位置規制機構が構成され、記録ヘッド５０の位置調整時に固定部材４０を緩めた仮止め状態の場合にも、固定部材４０と先端基準ピン５３とにより記録ヘッド１０がモジュールベース６から浮き上がることを防止するようになっている。なお、固定部材４０はここに例示した位置に設けられるものに限定されず、記録ヘッド５０を取付けベース５１に固定するためにさらに多くの固定部材を設けるようにしてもよい。この場合には、全ての固定部材をねじ軸部と圧縮ばねとを備える構成とする。さらに、記録ヘッド５０の他端側であって、記録媒体の搬送方向Ｘの上流側、下流側いずれかの側面に記録ヘッド５０のノズル列方向の位置を調整するノズル列方向調整部材としてローレット５４の形成されたカム部材５５を有する偏心ピン５６を設けるようにする。
【０１０５】
このような構成とすることにより、先端基準ピン５３を上昇させると先端基準ピン５３の設けられている側に記録ヘッド５０をわずかに移動させることができ、逆に先端基準ピン５３を下降させると先端基準ピン５３の設けられている側とは反対側に記録ヘッド５０を押出すことができる。また、固定部材４０を緩めた仮止めの状態でも、先端基準ピン５３の周面によって位置決め部５２を下方に押圧することができ、さらに、固定部材４０を緩めた状態でも圧縮ばねによって記録ヘッドが押圧されるので、記録ヘッド５０が取付けベース５１から浮き上がるのを防止することができる。これにより、ラインプリント方式の記録ヘッド５０を用いた場合にも、仮止め時に調整を行った適切な位置に記録ヘッド５０を正確に固定することができ、記録ヘッド５０の位置調整を容易に行うことができる。
【０１０６】
なお、図８において、ラインプリント方式の記録ヘッド５０を千鳥状に５つ配置したものを例示したが、記録ヘッドの配置の仕方及びは位置される記録ヘッドの数はここに例示したものに限定されない。また、図８においては、同色のインクを吐出する記録ヘッド５０が配置された取付けベース５１を１つ例示したが、シリアルプリント方式のインクジェット記録装置の場合と同様、複数色のインクを用いて画像記録を行うインクジェット記録装置の場合には、各色のインクを吐出する記録ヘッド５０をそれぞれ搭載した取付けベース５１がインクジェット記録装置に複数搭載される。なお、この場合、取付けベース５１は、各色のインクを吐出する記録ヘッド５０ごとにモジュールユニット化され、モジュールユニットごとに記録ヘッド５０の交換、取り付け等を行うように構成してもよいし、一つの取付けベース５１に各色のインクを吐出する記録ヘッド５０が直接搭載されるように構成してもよい。
【０１０７】
その他、本発明が上記実施の形態に限らず適宜変更可能であるのは勿論である。
【図面の簡単な説明】
【０１０８】
【図１】本発明に係るインクジェット記録装置の実施の一形態を示す斜視図である。
【図２】図１に示すインクジェット記録装置においてキャリッジに搭載されるモジュールユニットの側面斜視図である。
【図３】図１に示すインクジェット記録装置においてキャリッジに搭載されるモジュールユニットの側面斜視図である。
【図４】キャリッジ全体の斜視図である。
【図５】モジュールユニットを取り付けた際のキャリッジ全体の平面図である。
【図６】図６（ａ）は、図１に示すインクジェット記録装置においてキャリッジに搭載される記録ヘッドとモジュールユニットの一部を拡大した側面図である。図６（ｂ）は、図６（ａ）に設けられた固定部材の拡大図である。図６（ｃ）は、図６（ａ）に設けられた偏心ピンの拡大図である。
【図７】モジュールユニットを一つ取り付けた際のキャリッジ全体の平面図である。
【図８】ラインプリント方式のインクジェット記録装置において用いられるモジュールユニットの一実施例の側面斜視図である。
【符号の説明】
【０１０９】
４  キャリッジ
５，２５  モジュールユニット
６  モジュールベース
１０  記録ヘッド
１２，１６  先端基準ピン
１３，１７  偏心ピン
１４  ヘッド固定部
１５，１８  押し付け固定部材
副走査方向Ｂ
主走査方向Ａ
【図１】
2006188013.tif 000003
【図２】
2006188013.tif 000004
【図３】
2006188013.tif 000005
【図４】
2006188013.tif 000006
【図５】
2006188013.tif 000007
【図６】
2006188013.tif 000008
【図７】
2006188013.tif 000009
【図８】
2006188013.tif 000010